(57)【要約】【課題】被験者の頭部位置づけを容易に行うことができる歯科用Ｘ線撮影装置を提供する。【解決手段】Ｘ線発生部２とＸ線検出部３とを有する旋回アーム１０と、旋回アーム１０を旋回可能に支持するアーム支持部２０と、アーム支持部２０を昇降可能に支持する支柱部３０と、支柱部３０に昇降可能に支持され、Ｘ線発生部２とＸ線検出部３との間に設けられた被験者の顎部を支持する顎位置決め部５０と、支柱部３０及び顎位置決め部５０の何れか一方に設けられ、顎位置決め部５０に支持された被験者の顎部の正面方向からの撮影が可能なカメラ３３と、を備え、カメラ３３の光軸が水平面を基準にして斜め上方に向けられており、カメラ３３の光軸と交差する水平面の鉛直方向且つ顎位置決め部５０に顎部が支持された被験者の眼の位置よりも低い位置に、被験者の視線を誘導するための視線誘導体７０を有する。【選択図】図１
2020062395.tif 000002
【特許請求の範囲】
【請求項１】
Ｘ線発生部とＸ線検出部とを有する旋回アームと、
前記旋回アームを旋回可能に支持するアーム支持部と、
前記アーム支持部を昇降可能に支持する支柱部と、
前記支柱部に昇降可能に支持され、前記Ｘ線発生部と前記Ｘ線検出部との間に設けられた被験者の顎部を支持する顎位置決め部と、
前記支柱部及び前記顎位置決め部の何れか一方に設けられ、前記顎位置決め部に支持された前記被験者の顎部の正面方向からの撮影が可能なカメラと、を備え、
前記カメラの光軸が水平面を基準にして斜め上方に向けられており、
前記カメラの光軸と交差する前記水平面の鉛直方向且つ前記顎位置決め部に顎部が支持された前記被験者の眼の位置よりも低い位置に、前記被験者の視線を誘導するための視線誘導体を有する歯科用Ｘ線撮影装置。
【請求項２】
前記視線誘導体は、前記顎位置決め部に顎部が支持された前記被験者の眼の位置から前記カメラの光軸に平行な仮想平行線上に配置される請求項１に記載の歯科用Ｘ線撮影装置。
【請求項３】
前記カメラの撮影画像を表示可能に構成されるモニタ部をさらに備える請求項１又は２に記載の歯科用Ｘ線撮影装置。
【請求項４】
前記モニタ部に表示される前記カメラの撮影画像に、横方向に延びた咬合線が重畳表示される請求項３に記載の歯科用Ｘ線撮影装置。
【請求項５】
前記視線誘導体は、前記カメラの光軸から前記水平面の鉛直方向に６０〜８０ｍｍ上方に配置される請求項１から４のいずれか一項に記載の歯科用Ｘ線撮影装置。
【請求項６】
前記視線誘導体が前記支柱部に配置されている請求項１から５のいずれか一項に記載の歯科用Ｘ線撮影装置。
【請求項７】
Ｘ線発生部とＸ線検出部とを有する旋回アームと、前記旋回アームを旋回可能に支持するアーム支持部と、前記アーム支持部を昇降可能に支持する支柱部と、前記支柱部に昇降可能に支持され、前記Ｘ線発生部と前記Ｘ線検出部との間に設けられた被験者の顎部を支持する顎位置決め部と、を備える歯科用Ｘ線撮影装置に配置された視線誘導体であって、
前記歯科用Ｘ線撮影装置によるＸ線撮影の際に、前記顎位置決め部に顎部が支持された前記被験者の頭部姿勢を所定の前傾姿勢にするために用いられ、
前記支柱部の近傍且つ前記顎位置決め部に顎部が支持された前記被験者の眼の位置よりも低い位置に配置されて前記被験者の視線を誘導する視線誘導体。
【発明の詳細な説明】
【技術分野】
【０００１】
本発明は、被験者の頭部位置づけが行われる歯科用Ｘ線撮影装置及び視線誘導体に関する。
【背景技術】
【０００２】
歯科におけるＸ線撮影では、Ｘ線撮影装置に被験者を案内した後、術者が被験者の頭部位置づけを行う。具体的には、術者が被験者に指示しつつ装置を調整することで被験者の頭部位置づけが行われる。
【０００３】
一般に、パノラマＸ線撮影では、被験者の頭部はフランクフルト平面が水平面（例えば床面）に平行になるように位置づけされる。フランクフルト平面とは、前方基準点である左右の眼窩最下点と、後方基準点である両外耳孔の上端を結んだ仮想平面である。フランクフルト平面を水平面に平行にすると咬合平面が適正な角度に前方傾斜するため、被験者の顎部の解剖学的構造がパノラマ断層撮影において明瞭にＸ線撮影されることが知られている。特許文献１にはビーム発生器を備えるＸ線撮影装置が示されている。このＸ線撮影装置では、ビーム発生器から水平面に平行なフランクフルト平面を示す水平ビームが被験者に照射され、当該水平ビームに基づいて被験者の頭部位置づけが行われる。
【先行技術文献】
【特許文献】
【０００４】
【特許文献１】特開２０１３−２４４１４５号公報
【発明の概要】
【発明が解決しようとする課題】
【０００５】
しかしながら、特許文献１に示されるＸ線撮影装置において、術者が被験者に指示しつつ装置を調整してフランクフルト平面を水平ビームに沿わせることは容易ではない。また、被験者がフランクフルト平面を認識することは難しく、被験者が視野付近の水平ビームを不快と感じることもある。
【０００６】
上記実情に鑑み、被験者の頭部位置づけを容易に行うことができる歯科用Ｘ線撮影装置が求められている。
【課題を解決するための手段】
【０００７】
本発明に係る歯科用Ｘ線撮影装置の特徴構成は、Ｘ線発生部とＸ線検出部とを有する旋回アームと、前記旋回アームを旋回可能に支持するアーム支持部と、前記アーム支持部を昇降可能に支持する支柱部と、前記支柱部に昇降可能に支持され、前記Ｘ線発生部と前記Ｘ線検出部との間に設けられた被験者の顎部を支持する顎位置決め部と、前記支柱部及び前記顎位置決め部の何れか一方に設けられ、前記顎位置決め部に支持された前記被験者の顎部の正面方向からの撮影が可能な第１カメラと、前記Ｘ線発生部及び前記Ｘ線検出部の何れか一方に設けられ、前記顎位置決め部に支持された前記被験者の顎部の側面方向からの撮影が可能な第２カメラと、前記顎位置決め部の近傍に配置され、前記第１カメラ及び前記第２カメラの撮影画像を表示可能に構成されるモニタ部と、を備え、前記第１カメラの光軸が水平面を基準にして斜め上方に向けられており、前記モニタ部に表示される前記第１カメラの撮影画像に前記被験者の咬合部位が直線状に写っているときに、前記モニタ部に表示される前記第２カメラの撮影画像に写る前記被験者のフランクフルト平面が、前記水平面と平行になる点にある。
【０００８】
フランクフルト平面が水平面に平行になるように被験者の頭部をＸ線撮影装置に位置づけると、特に被験者の顎部の解剖学的構造がパノラマ断層撮影において明瞭にＸ線撮影される。上下の歯が接する平面である咬合平面は、フランクフルト平面に対して所定の角度を有しており、フランクフルト平面が水平面に平行になると、咬合平面は水平面から被験者の前方下向きに傾斜した状態になる。本構成においては、支柱部及び顎位置決め部の何れか一方に設けられた第１カメラによって、当該第１カメラの光軸が水平面を基準にして斜め上方に向けられるようにカメラを配置して、顎位置決め部に支持された被験者の顎部を撮影することができる。
【０００９】
本構成により、フランクフルト平面が水平面に平行であるときに、被験者の顎部の正面撮影用の第１カメラは、その光軸が咬合平面上に位置させ易くなる。第１カメラの光軸が咬合平面にある状態では、第１カメラの撮影画像において被験者の上下の歯が咬合する境界部分が直線状になる。従って、第１カメラの撮影画像で境界部分を確認することにより、被験者の顎部がＸ線撮影をする上で適正な姿勢、すなわち被験者のフランクフルト平面が水平面に平行であるか否かが判断できる。その結果、被験者の頭部位置づけを容易に行うことができる。
【００１０】
他の特徴構成は、前記モニタ部に表示される前記第１カメラの撮影画像に、横方向に延びた直線である咬合線が重畳表示される点にある。
【００１１】
他の特徴構成は、前記モニタ部に表示される前記第１カメラの撮影画像に重畳表示された前記咬合線に、前記被験者の前記咬合部位が重なって写っているときに、前記モニタ部に表示される前記第２カメラの撮影画像に写る前記被験者のフランクフルト平面が、前記水平面と平行になる点にある。
【００１２】
他の特徴構成は、前記モニタ部に表示される前記第１カメラの撮影画像に前記被験者の前記咬合部位が直線状に写っているときに、前記モニタ部に表示される前記第２カメラの撮影画像に、前記フランクフルト平面の指標線が前記水平面と平行になるように重畳表示される点にある。
【００１３】
他の特徴構成は、前記モニタ部に表示される前記第２カメラの撮影画像に、前記フランクフルト平面に対して所定の角度を有する咬合平面の指標線が更に重畳表示され、前記咬合平面の指標線は前記第１カメラの光軸に平行である点にある。
【００１４】
他の特徴構成は、前記第１カメラの光軸は、前記水平面を基準にした傾斜角度が１０〜１５度である点にある。
【００１５】
咬合平面は、フランクフルト平面に対し、平均的に１２度傾斜している。そこで、本構成では、個人差を考慮して、カメラの光軸が水平面を基準にして１０〜１５度に傾斜するようにカメラを配置している。このように、水平面を基準としたカメラの光軸の傾斜角度を１２度が含まれる狭い範囲内になるようにカメラを配置することで、被験者の頭部位置づけにおいて、カメラの光軸を咬合平面上に位置させやすくなり、容易にフランクフルト平面を水平面に平行にすることができる。これにより、簡便な方法で、カメラの撮影画像に基づく被験者の頭部位置づけをより精度よく行うことができる。
【００１６】
本発明に係る歯科用Ｘ線撮影装置の特徴構成は、Ｘ線発生部とＸ線検出部とを有する旋回アームと、前記旋回アームを旋回可能に支持するアーム支持部と、前記アーム支持部を昇降可能に支持する支柱部と、前記支柱部に昇降可能に支持され、前記Ｘ線発生部と前記Ｘ線検出部との間に設けられた被験者の顎部を支持する顎位置決め部と、前記支柱部及び前記顎位置決め部の何れか一方に設けられ、前記顎位置決め部に支持された前記被験者の顎部の正面方向からの撮影が可能なカメラと、を備え、前記カメラの光軸が水平面を基準にして斜め上方に向けられており、前記カメラの光軸と交差する前記水平面の鉛直方向且つ前記顎位置決め部に顎部が支持された前記被験者の眼の位置よりも低い位置に、前記被験者の視線を誘導するための視線誘導体を有する点にある。
【００１７】
他の特徴構成は、前記視線誘導体は、前記顎位置決め部に顎部が支持された前記被験者の眼の位置から前記カメラの光軸に平行な仮想平行線上に配置される点にある。
【００１８】
他の特徴構成は、前記カメラの撮影画像を表示可能に構成されるモニタ部をさらに備える点にある。
【００１９】
他の特徴構成は、前記モニタ部に表示される前記カメラの撮影画像に、横方向に延びた咬合線が重畳表示される点にある。
【００２０】
他の特徴構成は、前記視線誘導体は、前記カメラの光軸から前記水平面の鉛直方向に６０〜８０ｍｍ上方に配置される点にある。
【００２１】
フランクフルト平面は、顎位置決め部に顎部が載置された被験者の頭部の傾きに応じて水平面に対する角度が変化する。フランクフルト平面が水平面に平行になると咬合平面は水平面に対して被験者の前方下向きに傾斜する。このことから、被験者の頭部が前傾になるとフランクフルト平面が水平面に平行になり易いことが理解される。
【００２２】
そこで、本構成では、カメラの光軸と交差する水平面の鉛直方向の上方且つ顎位置決め部に顎部が支持された被験者の眼の位置よりも低い位置に、被験者の視線を誘導するための視線誘導体を有する。カメラの光軸は水平面を基準にして斜め上方に向けられており、カメラによって顎部の正面が撮影される。また、被験者において歯の咬合位置から視点位置までの距離は、通常６０〜８０ｍｍの間に収まる。
【００２３】
すなわち、視線誘導体は、顎位置決め部に顎部が支持された被験者の眼の位置よりも低い位置に配置され、術者の指示等により被験者が視線誘導体を直視することで、被験者の頭部は前傾姿勢になる。これにより、被験者自身の動作を利用してフランクフルト平面を水平面に平行になるように被験者を位置づけすることができる。その結果、被験者の頭部位置づけをさらに容易に行うことができる。
【００２４】
他の特徴構成は、前記視線誘導体が前記支柱部に配置されている点にある。
【００２５】
歯科用Ｘ線撮影装置において、支柱部は、顎位置決め部に支持された被験者の顎部の正面方向を撮影するカメラを設けることが可能であり、当該カメラの位置から上方に延設されている。すなわち、支柱部にはカメラの光軸よりも上方に視線誘導体を配置するためのスペースが存在する。そのため、本構成では視線誘導体が支柱部に配置されている。これにより、視線誘導体を配置するためのブラケット等の部材は不要になる。その結果、歯科用Ｘ線撮影装置において視線誘導体を容易に配置することができる。
【００２６】
本発明に係る歯科用Ｘ線撮影装置における頭部姿勢調整方法の特徴構成は、Ｘ線発生部とＸ線検出部とを有する旋回アームと、前記旋回アームを旋回可能に支持するアーム支持部と、前記アーム支持部を昇降可能に支持する支柱部と、前記支柱部に昇降可能に支持され、前記Ｘ線発生部と前記Ｘ線検出部との間に設けられた被験者の顎部を支持する顎位置決め部と、前記Ｘ線発生部及び前記Ｘ線検出部の何れか一方に設けられ、前記顎位置決め部に支持された前記被験者の顎部の側面方向からの撮影が可能なカメラと、前記顎位置決め部の近傍に配置され、前記カメラの撮影画像を表示可能に構成されるモニタ部と、を備える歯科用Ｘ線撮影装置を用いた頭部姿勢調整方法であって、前記被験者の視線を誘導する視線誘導体を、前記支柱部の近傍且つ前記顎位置決め部に顎部が支持された前記被験者の眼の位置よりも低い位置に配置し、前記モニタ部において表示される前記カメラの撮影画像を参照しつつ、前記顎位置決め部に顎部が支持された前記被験者に前記視線誘導体を直視させることで、前記被験者の頭部姿勢を所定の前傾姿勢に調整する点にある。
【００２７】
本発明に係る視線誘導体の特徴構成は、Ｘ線発生部とＸ線検出部とを有する旋回アームと、前記旋回アームを旋回可能に支持するアーム支持部と、前記アーム支持部を昇降可能に支持する支柱部と、前記支柱部に昇降可能に支持され、前記Ｘ線発生部と前記Ｘ線検出部との間に設けられた被験者の顎部を支持する顎位置決め部と、を備える歯科用Ｘ線撮影装置に配置された視線誘導体であって、前記歯科用Ｘ線撮影装置によるＸ線撮影の際に、前記顎位置決め部に顎部が支持された前記被験者の頭部姿勢を所定の前傾姿勢にするために用いられ、前記支柱部の近傍且つ前記顎位置決め部に顎部が支持された前記被験者の眼の位置よりも低い位置に配置されて前記被験者の視線を誘導する点にある。
【図面の簡単な説明】
【００２８】
【図１】歯科用Ｘ線撮影装置の斜視図である。
【図２】歯科用Ｘ線撮影装置の部分側面図である。
【図３】歯科用Ｘ線撮影装置の部分正面図である。
【図４】第１カメラ及び第２カメラによる撮影状態を示す平断面図である。
【図５】歯科用Ｘ線撮影装置のブロック構成図である。
【図６】第１カメラによる撮影状態を示す側面図である。
【図７】モニタ部に表示される第１カメラの撮影画像の一例を示す図である。
【図８】モニタ部に表示される第２カメラの撮影画像の一例を示す図である。
【図９】別形態のＸ線撮影装置を示す部分側面図である。
【図１０】別形態の視線誘導体を示す図である。
【図１１】別形態の視線誘導体を示す図である。
【図１２】別形態の視線誘導体を示す図である。
【発明を実施するための形態】
【００２９】
以下、本発明の実施形態を図面に基づいて説明する。
【００３０】
図１〜図６に示される歯科用のＸ線撮影装置Ａは、パノラマ断層撮影モード及びＣＴ断層撮影モードを有している。Ｘ線撮影装置Ａは、Ｘ線発生部２とＸ線検出部３とを有する旋回アーム１０と、旋回アーム１０を旋回可能に支持するアーム支持部２０と、アーム支持部２０を昇降可能に支持する支柱部３０と、を備える。旋回アーム１０においてＸ線発生部２とＸ線検出部３とは対向して配置可能に構成される。支柱部３０は、床面に設置される基台４０に立設される支柱本体３１と、支柱本体３１に昇降可能に取付けられる昇降体３２とを有する。アーム支持部２０は、昇降体３２の上部に取り付けられて昇降体３２とともに上下する。昇降体３２は、モータ等の昇降機構（不図示）を介して支柱本体３１に対して上下昇降可能に構成されている。
【００３１】
旋回アーム１０は、Ｘ線発生部２及びＸ線検出部３を備える。旋回アーム１０は、アーム支持部２０に対して回転軸Ｐを中心に旋回可能に取り付けられている。旋回アーム１０において、Ｘ線発生部２及びＸ線検出部３は回転軸Ｐを挟んで対向配置可能に備えられている。Ｘ線検出部３は、Ｘ線発生部２に対して対向配置された位置から退避可能に構成されている。本実施形態では、Ｘ線検出部３は、Ｘ線発生部２に対して対向配置された位置から独立して旋回アーム１０の回転軸Ｐ周りに移動可能に構成されている。
【００３２】
Ｘ線発生部２は、Ｘ線管等のＸ線発生器と、Ｘ線ビームの広がりを規制するスリット等によって構成され、Ｘ線検出部３は、２次元的に広がったＣＣＤセンサ等のＸ線検出器によって構成されている。
【００３３】
Ｘ線撮影装置Ａは、昇降体３２が昇降する上下方向をＺ軸とし、該Ｚ軸に直交するＸ軸（例えばアーム支持部２０の延設方向）、Ｙ軸（例えばアーム支持部２０の横幅方向）からなる３次元の軸方向において、少なくとも旋回アーム１０をＸ軸方向、Ｙ軸方向の２次元において位置制御する。旋回アーム１０は、アーム支持部２０に内蔵されたＸ−Ｙテーブル（不図示）によって水平面域での２次元移動が可能とされている。
【００３４】
旋回アーム１０の下方に、被験者Ｂの顎部を支持する顎位置決め部５０が設けられている。図２、図３に示すように、顎位置決め部５０は、支持フレーム５１と、本体部５２とを備える。昇降体３２に支持フレーム５１の一端が取付けられ、支持フレーム５１の他端に本体部５２が配置されている。これにより、顎位置決め部５０は支柱部３０に昇降可能に支持され、昇降体３２の上下動に伴い、旋回アーム１０と顎位置決め部５０とが一体的に上下動する。
【００３５】
本体部５２には被験者Ｂの頭部を固定するための頭部固定部５３が備えられ、支持フレーム５１には被験者Ｂが握るためのハンドル５４が備えられている。頭部固定部５３は、撮影に際して被験者Ｂの頭部を安定的に固定するために、被験者Ｂの顎を支持するためのチンレスト５５と、一対の側頭部押さえ５６とを有している。側頭部押さえ５６は側頭部を固定するために左右に配置される。一対の側頭部押さえ５６の間隔は、チンレスト５５の側部に設けられたダイヤル５７によって調整することができる。チンレスト５５の上部には被験者Ｂの開口用のバイトブロック５８が設けられている。
【００３６】
顎位置決め部５０の支持フレーム５１の近傍には第１カメラ３３が取付けられ、旋回アーム１０のＸ線発生部２には第２カメラ３４が設けられている。第１カメラ３３及び第２カメラ３４は、顎位置決め部５０に支持された被験者Ｂの顎部を含む顔部を撮影するために設けられている。本実施形態では、第１カメラ３３は昇降体３２に取付けられたカメラ支持体３５に設けられている。支持フレーム５１は、カメラ支持体３５から延出している。第１カメラ３３及び第２カメラ３４は、写真用カメラとしてのみならず、連続的に撮影可能なビデオカメラとして機能するように構成されている。第１カメラ３３は、顎位置決め部５０に支持された被験者Ｂの顎部の正面方向からの撮影が可能であり、顎位置決め部５０とともに上下動して被験者Ｂの顎部正面の画像を取得する。一方、第２カメラ３４は、旋回アーム１０においてＸ線発生部２を被験者Ｂの側方位置に移動させることで被験者Ｂの顎部側面の画像を取得する。
【００３７】
以下、図８を参照し、被験者Ｂのフランクフルト平面Ｆ及び咬合平面Ｇとの関係と、第１カメラ３３について説明する。図８に示されるように、フランクフルト平面Ｆが図６に示す水平面Ｈに平行になるように被験者Ｂの頭部位置づけを行うと、パノラマＸ線撮影において被験者Ｂの顎部の解剖学的構造が明瞭に撮影されることが知られている。ここで、水平面ＨとはＸ線撮影装置Ａの載置面（例えば床面）に平行な面である。上下の歯が接する平面である咬合平面Ｇは、フランクフルト平面Ｆに対して所定の角度を有しており、フランクフルト平面Ｆが水平面Ｈに平行になると、咬合平面Ｇは水平面Ｈから被験者Ｂの前方下向きに傾斜した状態になる。そこで、本実施形態では、図６に示されるように、第１カメラ３３の光軸Ｃが水平面Ｈを基準にして斜め上方に向けられるように第１カメラ３３を配置して、顎位置決め部５０に支持された被験者Ｂの顎部を撮影する。
【００３８】
これにより、第１カメラ３３の光軸Ｃを咬合平面Ｇ（図８参照）上に位置させることができる。第１カメラ３３の光軸Ｃが咬合平面Ｇにある状態では、第１カメラ３３の撮影画像（第１画像３３ａ）において被験者Ｂの上下の歯が咬合する咬合部位が直線状になる（図７参照）。第１画像３３ａ上には横方向に延びた直線である咬合線Ｄが重畳表示されている。従って、第１カメラ３３の撮影画像で咬合部位と咬合線Ｄとが重なっていることを確認することにより、被験者Ｂの顎部がＸ線撮影をする上で適正な姿勢、すなわち被験者Ｂのフランクフルト平面Ｆが水平面Ｈに平行であるか否かを判断することができる。その結果、被験者Ｂの頭部位置づけを容易に行うことができる。
【００３９】
咬合平面Ｇは、フランクフルト平面Ｆに対し平均的に１２度傾斜している。このため、個人差を考慮して、光軸Ｃが水平面Ｈを基準にして１０〜１５度上向きに傾斜するように第１カメラ３３を配置することが好ましい。このように、水平面Ｈを基準とした第１カメラ３３の光軸Ｃの傾斜角度が１２度を含む狭い範囲内になるように第１カメラ３３を配置することで、被験者Ｂの頭部位置づけにおいて、第１カメラ３３の光軸Ｃを咬合平面Ｇ上に位置させやすくなり、容易にフランクフルト平面Ｆを水平面Ｈに平行にすることができる。これにより、簡便な方法で、第１カメラ３３の撮影画像に基づく被験者Ｂの頭部位置づけをより精度よく行うことができる。
【００４０】
図６に示すように、Ｘ線撮影装置Ａは、第１カメラ３３の光軸Ｃから水平面Ｈの鉛直方向に６０〜８０ｍｍ上方であって当該光軸Ｃに平行な仮想平行線Ｋ上に、被験者Ｂの視線を誘導するための視線誘導体７０を有する。本実施形態では、図１〜図３に示すように、支柱部３０の昇降体３２において、第１カメラ３３の光軸Ｃとの交点を基準にして６０〜８０ｍｍ上方となる位置に、被験者Ｂの視線を誘導するための視線誘導体７０が配置されている。被験者において歯の咬合位置から視点位置までの距離は、通常６０〜８０ｍｍの間に収まる。視線誘導体７０は、顎位置決め部５０に顎部が載置された被験者Ｂの眼の位置よりも低い位置に配置され、術者の指示等により被験者Ｂが視線誘導体７０を直視することで、被験者Ｂの頭部は前傾姿勢になる。これにより、被験者Ｂ自身の動作を利用してフランクフルト平面Ｆを水平面Ｈに平行になるように被験者Ｂを位置づけすることができる。その結果、被験者Ｂの頭部位置づけをさらに容易に行うことができる。本実施形態では、視線誘導体７０は円形状のシール体で構成されている。シール体の形状は円形状に特定されず三角形、四角形等の他の形状であってもよい。
【００４１】
顎位置決め部５０の支持フレーム５１には、ブラケット５１ａを介して操作パネル６０（モニタ部の一例）が取り付けられている。操作パネル６０は支持フレーム５１に対して姿勢変更可能に取り付けられている。操作パネル６０は、第１カメラ３３及び第２カメラ３４によって撮影された撮影画像を表示可能に構成される。操作パネル６０は、例えばタッチパネルで構成され、Ｘ線撮影装置Ａの各種動作を指示するためのアイコンが表示され、該当するアイコンをタッチすることでその動作が選択される。
【００４２】
図５は、Ｘ線撮影装置Ａのブロック図である。Ｘ線撮影装置Ａは制御部８０を含んで構成される。制御部８０は、Ｘ線発生部２、Ｘ線検出部３、旋回アーム１０、昇降体３２、第１カメラ３３及び第２カメラ３４、頭部固定部５３等を制御する。制御部８０は操作パネル６０による表示を制御し、操作パネル６０からの指示に基づいて各種制御を実行することができる。操作パネル６０は支持フレーム５１から取り外し可能であって、取り外された状態であっても制御部８０と通信可能に構成されている。
【００４３】
次に、Ｘ線撮影装置Ａの使用方法について説明する。Ｘ線撮影装置Ａに被験者Ｂを案内する前に、図４に示すように、Ｘ線発生部２及びＸ線検出部３が対向する状態から、第２カメラ３４を有するＸ線発生部２に対して第２カメラ３４を有しないＸ線検出部３を独立して旋回アーム１０の回転軸Ｐ周りに移動させる。これにより、図４の二点鎖線で示されるように、Ｘ線検出部３をＸ線発生部２と同じく被験者Ｂの右側であって、第１カメラ３３の撮影領域３３Ｓと第２カメラ３４の撮影領域３４Ｓのいずれにも重複しない位置に移動させることができる。Ｘ線撮影装置Ａに被験者Ｂを案内後に、Ｘ線発生部２に対してＸ線検出部３を独立して旋回アーム１０の回転軸Ｐ周りに移動させるようにしてもよい。
【００４４】
このように、旋回アーム１０において、第２カメラ３４を有しないＸ線検出部３が第２カメラ３４を有するＸ線発生部２に対して対向配置された位置から独立して旋回アーム１０の回転軸Ｐ周りに移動することにより退避する。Ｘ線検出部３は回転軸Ｐ周りに移動するので、退避後も旋回アーム１０の旋回領域内に収めることができる。これにより、第２カメラ３４の撮影領域３４ＳからＸ線検出部３が外れるようにすることができる。また、被験者Ｂを挟んで第２カメラ３４に対向する位置に術者用のスペースを確保することができ、術者が被験者Ｂの側方からＸ線撮影装置Ａの調整や操作パネル６０での撮影画像の確認等を行うことができる。その結果、術者が被験者Ｂの頭部位置づけを容易に行うことができる。
【００４５】
次に、Ｘ線撮影装置Ａの顎位置決め部５０に被験者Ｂを案内し、被験者Ｂの頭部位置づけを行う。このとき、術者は、Ｘ線検出部３が存在しない被験者Ｂの左側に位置することで、被験者Ｂの顔部側面を直視しつつＸ線撮影装置Ａの調整を行うことができる。術者は、チンレスト５５の高さを調整して被験者Ｂの顎がチンレスト５５に載置される状態にして被験者Ｂにバイトブロック５８を噛ませる。この状態で、術者は被験者Ｂに対して視線誘導体７０を見るように指示する。
【００４６】
術者は、操作パネル６０に表示される被験者Ｂの正面画像（第１カメラ３３によって撮影された第１画像３３ａ）と、被験者Ｂの側面画像（第２カメラ３４によって撮影された第２画像３４ａ）を参照しつつチンレスト５５の高さを微調整する。
【００４７】
操作パネル６０に表示される、第１画像３３ａの一例を図７に示し、第２画像３４ａの一例を図８に示す。図７に示されるように、第１画像３３ａにおいて被験者Ｂの上下の歯が咬合する咬合部位が咬合線Ｄと重なって直線状に写ると、被験者Ｂの顎部がＸ線撮影をする上で適正な姿勢、すなわち被験者Ｂのフランクフルト平面Ｆが図６に示す水平面Ｈに平行であると判断できる。一方、図８に示すように、側面画像である第２画像３４ａには、フランクフルト平面Ｆの指標線と咬合平面Ｇの指標線とが重畳されるように構成されている。咬合部位が直線状に写っていれば、被験者Ｂの耳部付近を通るフランクフルト平面Ｆの指標線が水平面Ｈと平行になるように重畳表示され、被験者Ｂの咬合部付近を通る水平面Ｈを基準に被験者Ｂの前方下向きに傾斜する咬合平面Ｇの指標線が重畳表示される。
術者は、第１画像３３ａ及び第２画像３４ａにおいて、咬合線Ｄ、及びフランクフルト平面Ｆと咬合平面Ｇの夫々の指標線を参照することで被験者Ｂの頭部位置づけが容易になる。
【００４８】
第１画像３３ａ及び第２画像３４ａと被験者Ｂの直視に基づいて、被験者Ｂの顎部の位置及び姿勢が適正であることを確認した後に被験者Ｂの側頭部を固定する。
【００４９】
被験者Ｂの頭部位置づけが完了すると、第１カメラ３３及び第２カメラ３４を用いてＸ線撮影のためのカメラスカウト指定を行う。図７に示すように、第１画像３３ａは、撮影領域を指定するための矩形の指標線Ｅが表示可能に構成されている。指標線Ｅによって特定される領域の大きさ、形状は適宜変更することができる。図８に示すように、第２画像３４ａにも、第１画像３３ａと同様の指標線Ｊが表示可能に構成されている。
【００５０】
パノラマ断層撮影の場合は、図７に示される第１画像３３ａの指標線Ｅで正中位置を指定し、図８に示される第２画像３４ａの指標線Ｊで犬歯位置を指定する。ＣＴ断層撮影の場合は、図７に示される第１画像３３ａの指標線Ｅで顔部の左右方向における撮影領域を指定し、図８に示される第２画像３４ａの指標線Ｊで顔部の前後方向における撮影領域を指定する。操作パネル６０から制御部８０が撮影領域の指定を受けると、制御部８０はＸ線発生部２及びＸ線検出部３や旋回アーム１０に対して制御信号を送信する。これにより、指定された撮影領域を撮影可能にする位置に、Ｘ線発生部２及びＸ線検出部３が移動するとともに、Ｘ線発生部２においてＸ線照射領域が調整され、Ｘ線検出部３においてＸ線検出領域が調整される。その後パノラマ断層撮影またはＣＴ断層撮影が開始される。
【００５１】
〔別実施形態〕
（１）上記の実施形態では、第１カメラ３３を支柱部３０の昇降体３２に取付けられたカメラ支持体３５に設ける構成を示したが、図９に示すように、第１カメラ３３は顎位置決め部５０の本体部５２から延びるステー５２ａに取付けてもよい。図示しないが、第１カメラ３３は顎位置決め部５０の支持フレーム５１にブラケット５１ａ等を介して取付けてもよい。
【００５２】
（２）上記の実施形態では、顎位置決め部５０がチンレスト５５とチンレスト５５に設けられたバイトブロック５８とを有する構成を示したが、図９に示すように、顎位置決め部５０はチンレスト５５を有さずに本体部５２等からバイトブロック５８が延設される構成でもよい。
【００５３】
（３）上記の実施形態では、第２カメラ３４が旋回アーム１０のＸ線発生部２に備えられた例を示したが、第２カメラ３４はＸ線検出部３に備えられてもよい。
【００５４】
（４）Ｘ線発生部２及びＸ線検出部３のうち、第２カメラ３４を有しない一方が第２カメラ３４を有する他方に対して対向配置された位置から退避可能となる構成は上記の実施形態に限定されない。例えば、第２カメラ３４を有しない一方（Ｘ線発生部２又はＸ線検出部３）を旋回アーム１０に対して着脱可能に構成してもよい。旋回アーム１０から第２カメラ３４を有しない一方（Ｘ線発生部２又はＸ線検出部３）を取り外すことで第２カメラ３４を有しない一方は当該対向配置された位置から退避可能になる。尚、Ｘ線撮影の際には、旋回アーム１０に対して第２カメラ３４を有しない一方（Ｘ線発生部２又はＸ線検出部３）を再度取付けることになる。その他、第２カメラ３４を有しない一方（Ｘ線発生部２又はＸ線検出部３）を旋回アーム１０の上方に向けて移動可能に構成してもよい。
【００５５】
（５）上記の実施形態では、視線誘導体７０が支柱部３０の昇降体３２に配置されている例を示したが、視線誘導体７０は、第１カメラ３３の光軸Ｃから水平面Ｈの鉛直方向に６０〜８０ｍｍ上方であって当該光軸Ｃに平行な仮想平行線Ｋ上に存在していればよく、他の部材に配置されていてもよい。例えば、視線誘導体７０を配置する部材（不図示）を、顎位置決め部５０（支持フレーム５１、本体部５２、チンレスト５５等）に対して上方に向けて取付けたり、アーム支持部２０に対して下方に向けて取付けてもよい。
【００５６】
（６）視線誘導体７０は、昇降体３２の上下方向に複数設けてもよい。図１０では、視線誘導体７１が３つのシール体７１ａ、７１ｂ、７１ｃによって構成された例を示す。複数のシール体７１ａ〜７１ｃは、例えば、別途カバー体７５ａ〜７５ｃを備え、表示状態と非表示状態とに切換可能に構成してもよい。図１１に示すように、視線誘導体７２は昇降体３２の上下方向に位置変更可能であってもよい。また、図１２に示すように、視線誘導体７３は、複数の発光体７３ａ、７３ｂ、７３ｃによって構成され、いずれか１つの発光体（例えば７３ｂ）を点灯させるようにしてもよい。
【産業上の利用可能性】
【００５７】
本発明は、頭部用のＸ線撮影装置に広く利用することができる。
【符号の説明】
【００５８】
２      ：Ｘ線発生部
３      ：Ｘ線検出部
１０    ：旋回アーム
２０    ：アーム支持部
３０    ：支柱部
３２    ：昇降体
３３    ：第１カメラ
３３ａ  ：第１画像
３４    ：第２カメラ
３４ａ  ：第２画像
３５    ：カメラ支持体
４０    ：基台
５０    ：顎位置決め部
５１    ：支持フレーム
５３    ：頭部固定部
５５    ：チンレスト
６０    ：操作パネル（モニタ部）
７０，７１，７２，７３  ：視線誘導体
８０    ：制御部
Ａ      ：Ｘ線撮影装置
Ｂ      ：被験者
Ｃ      ：光軸
Ｆ      ：指標線（フランクフルト平面）
Ｇ      ：指標線（咬合平面）
Ｋ      ：仮想平行線
Ｐ      ：回転軸
【図１】
2020062395.tif 000003
【図２】
2020062395.tif 000004
【図３】
2020062395.tif 000005
【図４】
2020062395.tif 000006
【図５】
2020062395.tif 000007
【図６】
2020062395.tif 000008
【図７】
2020062395.tif 000009
【図８】
2020062395.tif 000010
【図９】
2020062395.tif 000011
【図１０】
2020062395.tif 000012
【図１１】
2020062395.tif 000013
【図１２】
2020062395.tif 000014